(57)【特許請求の範囲】
【請求項１】
楕円形ノッチ又は複数のＶ字ノッチを有する光透過性素子と、
前記光透過性素子の内部に形成されたキャビティと、
前記キャビティ内に配置された発光ダイオードと、
前記発光ダイオードから発せられた光を受容する前記光透過性素子に形成されたアパー
チャーと、
を備えるドキュメント照射装置であって、
前記光が、前記アパーチャーを通ってドキュメントを照射し、
前記楕円形ノッチ又は複数のＶ字ノッチは、キャビティ内に配置された前記発光ダイオードに対し前記光透過性素子のアパーチャーとは反対側の面に形成される、
ドキュメント照射装置。
【発明の詳細な説明】
【技術分野】
【０００１】
光透過性素子において発光ダイオードを用いるドキュメント照射器を開示する。
【背景技術】
【０００２】
ドキュメントを走査のために照射するのに用いられるドキュメント照射システム若しくは装置は、典型的には、タングステンランプ又は蛍光ランプのような光源と、対向反射器とを備える。通常、光源は、プラテン若しくは定速搬送（ＣＶＴ：constant velocity transport）システム下におけるスキャナの光中心線の片側に配置され、一方、反射器は、このプラテン若しくはＣＶＴシステム下におけるスキャナの光中心線の反対側に配置される。光源は、対向反射器と共にこのスキャナによって走査されるドキュメント又はオブジェクトを照射する。
【０００３】
図１は、独立型スキャナとして或いはコピー機において使用され得る、ドキュメント照射システムの構成要素を示している。特許文献１に述べられているように、このシステムは、光レンズ走査システムにおいて用いられてもよいし、デジタル（画像入力端末）走査システム（プラテン若しくはＣＶＴ）において用いられてもよく、ドキュメントを、複写、表示、及び／又は、電子メモリ、磁気媒体、若しくは光ディスクへの記憶のために照射する。図１の照射システムは、ドキュメント１０が載置されるプラテン２０を含む。ドキュメントは、ドキュメント・ハンドラ２５によって、このプラテン上に送給されてもよい。ドキュメント１０は、活性光源となるドキュメントの照射領域を照射する光源５０によって照射される。典型的には、この光源は、直線型蛍光ランプ（ランプ内面上のコーティング６０にアパーチャー６５を備えていても備えていなくてもよい）又は直線型タングステンランプから成る。上記のように、光源５０は、光中心線４０の片側に置かれる。画像形成システム（図示せず）によって、この光中心線４０のすぐ周囲にあるドキュメントの部分の画像が、電荷結合素子（ＣＣＤ：charge coupled device）のような感光装置上に投影される。当該分野では周知のように、この画像がＣＣＤセンサ又は全幅アレイセンサに導かれる場合、光中心線４０周囲のドキュメントから反射された光は、このドキュメントを電子的に表す画像データを形成する電子信号に変換され、このデータは、コンピュータ内部の記憶装置のような記録装置に記憶されてもよい。
【０００４】
光中心線４０の反対側には、対向反射器３０が置かれる。この対向反射器３０は、本来ならドキュメントを照射しない光（プラテン２０に対して平行な又は実質的に平行な光路で光源を離れる光）を、ドキュメントの照射領域に戻るように方向転換させることによって、走査されるドキュメントを間接的に照射する。この反射器３０は、散乱光５７を、光源５０によって直接的に発せられた光５５の角度とは反対の角度をなして、ドキュメント１０に戻るように（３５）反射させる。このような反射によって、非平面特性を備えたドキュメント上における陰影が抑制される。
【０００５】
照射システムはスキャナに対し適切な照射を行うが、従来の照射システムには様々な問題が付随する。このような問題の１つは、ランプと反射器とを組み合わせた大きさであり、空間が割増しされるということである。もう１つの問題は、このような比較的大型の照射システムの修理及びメンテナンスである。
【０００６】
さらに、デジタル入力スキャナにおけるドキュメント照射器の大部分は、直径の小さい（２ｍｍ以下）蛍光水銀（Ｈｇ）ランプを用いる直線蛍光ランプ（例えば、冷陰極蛍光ランプ（ＣＣＦＬ：cold-cathode fluorescent lamp））から成る。高速高性能スキャナに対しては、直径のより大きな直線蛍光水銀ランプよりも、直径のより大きな（８〜１０ｍｍ）直線蛍光キセノン（Ｘｅ）ランプが用いられる。しかしながら、水銀ランプは高電圧を必要とし温度感度が高いと共に、製品における水銀量を減らすことが望まれているため、機械的な問題が少なく、必要なエネルギーが少なく、効率が高く、必要なメンテナンス及びコストが少ない、高性能レベルで機能し得るその他の発光技術（例えば、発光ダイオード（ＬＥＤ：light emitting diode））を開発することが望ましい。このようなサイド発光装置については、ロバート  Ｓ．ウェスト(Robert S. West)による特許文献２に説明されている。異なるタイプの点状光源が、ホスト  グレイナー(Host Grainer)による特許文献３に示されている。さらに別の線形照射装置が、トミヒサ  サイトウ(Tomihisa Saito)らによる特許文献４に教示されている。
【特許文献１】米国特許第６，２３６，４７０号明細書
【特許文献２】米国特許第６，５９８，９９８号明細書
【特許文献３】米国特許出願公開第２００２／００９７５７８号明細書
【特許文献４】米国特許第６，０１７，１３０号明細書
【発明の開示】
【発明が解決しようとする課題】
【０００７】
本開示は、添付の図２に示された異なる光透過性素子（ＬＴＥ：light-transmissive element）１００に小型の光源を備えて、コンパクトなドキュメント照射器を提供する。
【課題を解決するための手段】
【０００８】
本明細書中に開示された態様は、楕円形ノッチ又は複数のＶ字ノッチを有する光透過性素子と、前記光透過性素子に形成されたキャビティ（空洞部）と、前記キャビティ内に配置された発光ダイオードと、前記発光ダイオードから発せられた光を受容する前記光透過性素子に形成されたアパーチャー(光放出領域)とを備える装置であって、前記光が前記アパーチャーを通ってドキュメントを照射する装置を含む。また、本明細書中に開示された態様は、アパーチャーと内部に埋め込まれた発光ダイオードとを有する光透過性素子であって、前記発光ダイオードから発せられた光を前記アパーチャーへ向けて内部反射してドキュメントを照射する光透過性素子と、前記ドキュメントの反射画像を受容して、該反射画像を電子信号に変換するためにアレイセンサ上に投影するように構成されたレンズと、変換された電子信号をデジタルデータとして記録するための記憶装置とを備える装置を含む。
【発明を実施するための最良の形態】
【０００９】
実施形態では、線形光透過性素子に備わるサイドエミッティングＬＥＤを用いてドキュメントを照射するドキュメント走査装置を例示する。
【００１０】
この光透過性素子（ＬＴＥ）は、図１のプラテン２０及びドキュメント１０と連動する図２に示された光ガイド１００から成る一方で、前述のようなランプ／反射器構造及びそれに付随する問題を持たない。図２に示されているように、光ガイド１００は、光源領域１１０を備え、この光源領域１１０は、光線１２０として光ガイドから導かれてプラテン２０上のドキュメント１０を照射する光を発する。画像形成システム４３（例えば、レンズ）によって、この光の中心線４０のすぐ周囲にあるドキュメントの部分の画像が、感光装置４５（例えば、線型配列された光センサ（全幅アレイセンサ）、ＣＣＤセンサ、又は受光体（図示せず））上に投影される。この光中心線４０周囲のドキュメントから反射された光は、感光装置４５によって、このドキュメントを電子的に表す画像データを形成する電子信号に変換され、このデータは、コンピュータ内部の記憶装置のような記録装置に記憶されてもよい。
【００１１】
図３及び図４はそれぞれ、光ガイド１００の正面図と側面図を示している。この光ガイドは、レター及びリーガルサイズからＡ３及びＡ４サイズのページ幅ドキュメントを照射することができるが、これに限定されず、３６インチ及び６インチの照射器に適用可能であり、図３に示された長さｌは、３２０ｍｍ以上であり得る。幅ｗは、約２ｍｍ〜約６ｍｍの範囲で様々であってよいが、これに限定されず、高さｈは、約２０ｍｍ〜約２５ｍｍの範囲で様々であってよい。この光ガイド１００に形成されたキャビティ（空洞部）１４０に、ＬＥＤ１３０が嵌め込まれている。このＬＥＤ内部の光源１５０から発する光は、キャビティの壁部を通って光ガイドへ入射する。光ガイドには面取りアパーチャー１６０が形成されており、この面取りアパーチャー１６０は、光を、以下にさらに説明するようにＬＥＤから直接的に或いは反射させてから受容し、このアパーチャーの付近のドキュメント（図示せず）を照射するように方向転換させる。
【００１２】
光ガイド１００は透明なアクリル樹脂材料から成るが、その他の同様な材料を用いてもよい。キャビティ１４０は光ガイドの中心に配置されているが、当然のことながら、光ガイドにおけるその他の非中心位置を用いてもよい。このキャビティは、光を照射器の内外へ導く所望の方法によって、図４に示された光ガイドの幅ｗを突き抜ける貫通穴であってもよいし、幅全体には及ばない止まり穴であってもよい。ＬＥＤ１３０は、いくつかの方法でキャビティの内部に保持することができ、例えば、図３及び図４に示されているように、ＬＥＤを回路基板上に取り付けてもよく、これにより、ＬＥＤを光ガイド１００の側壁に対して支持する肩部支持体１３５が形成される。この回路基板は、ＬＥＤ１３０の光源１５０を制御する電子システム（図示せず）の構成要素であってもよい。キャビティの壁部を磨くことによって、光がＬＥＤ１３０から光ガイド１００のその他の部分へよりスムーズに伝播されるようになる。
【００１３】
通常、ＬＥＤ１３０によって発せられた光線１５１（実線の矢印で示す）は、キャビティ１４０から全方向に放射状に広がり、そのうちのいくらかは、屈折して（１５３）周囲環境へ抜け、他のいくらかは、光ガイドの内部へ戻るように反射して（１５５）（点線の矢印で示す）、あちらこちらに跳ね返ってから、完全に光ガイドを離れる。光線１５５はいわゆる再帰反射し、光線１５５’が初めの光線１５１に対して平行に反射される。いくらかの光線は、アパーチャー１６０の領域内へ直接的に進み、その周囲の領域（例えば、照射対象のドキュメント）上へ投影される（１６３）。アパーチャー１６０の面取りされた面に当たる１５６のような光線は、周囲環境媒体へ図３に示された方向１５６’に屈折する、ということに注意されたい。
【００１４】
光は、第１媒体から第２媒体へ進む場合、一直線には進み続けず、隣接したこれらの媒体間の境界を横切るときに、この境界の面に引いた法線に対し離れるような又は近づくような角度をなして屈折する即ち曲がる、ということが科学分野において知られている。第１媒体における入射光線がこの法線に対してなす角度を入射角θi1と呼び、第２媒体における透過光線がこの法線に対してなす角度を屈折角θr2と呼ぶ。これら２つの角度間の関係は、これら２つの媒体のそれぞれの屈折率ηによって決まり、周知のスネルの法則：Sin θi1／Sin θr2＝ηr2／ηi1（下付き文字は、各媒体(第１又は第２)の角度のタイプ(入射ｉ又は屈折ｒ)を示す）に基づく。光は、密度の低い材料におけるほど、速く進み、屈折率が高い。真空の場合、可能な最小屈折率は１．００００である。従って、光線は、より速く進む材料からより遅く進む材料へ境界を横切って通過する場合には、法線に対して近づくように曲がり、逆の場合も同様である、ということを示すことができる。また、透過光線が法線に対して９０°に即ち境界面に対して平行に屈折し得る入射角（臨界角θcrと呼ばれる）がある、ということも示すことができる。入射角がθcrよりも大きい第１媒体における光線の場合、光線は全く第１媒体から第２媒体へ抜けず、従って、屈折光が第２媒体へ透過することなく、境界から第１媒体へ戻る全反射が生じる。θcrにおいて生じるこの現象は、全反射（ＴＩＲ：Total Internal Reflection）と呼ばれる。
【００１５】
一例として、図５に示されているような、透明なアクリル(acrylic)における光源から周囲空気(air)媒体に入射する光線の臨界角θcrは、ηacrylicが約１．４〜約１．７でηairが１．０００３である場合、約３６．０°〜約４５．６°である。ＴＩＲは、光が入射する媒体よりも屈折率の高い第１媒体から進む場合にのみ生じる、ということに注意されたい。さらに、屈折角θrは０°から９０°の範囲で様々であり、全反射の場合には反射で光パワーは全く失われない。図５は、一般的な光線の入射角θiと、屈折角θrが法線Ｎに対し９０°をなしてＴＩＲをもたらす場合の臨界角θcrとを示している。法線Ｎと媒体１及び媒体２間の境界面とによって形成される交点Ｏに臨界角θcrをなして到達する光線１５２’は、９０°の屈折成分１５２”と、反射成分１５２”’とを有する。屈折成分１５２”は、境界面に対して平行に且つ媒体１の内部にとどまる。θcrよりも大きい入射角θiをなすあらゆるその他の光線１５４は、１５４’として示された方向に全反射する。一実施形態では、キャビティ１４０を媒体１内の異なる場所に設けて光パワー及び光プロファイルを最大化すると同時に、キャビティ壁の内側を不透明なライニング１４１で覆って入射角を所望の角度にしてもよい。
【００１６】
本明細書中の実施形態では、埋め込みＬＥＤを有して全反射をもたらす光ガイドをさらに開示する。この全反射は、様々な断面を有するキャビティ１４０を形成することによりもたらされてもよく、断面の例としては、円形、正方形、長方形、及び多角形が挙げられるが、これらに限定されない。また、キャビティの特定部分の内側を、図６及び図７に示されているような、不透明な鏡面ライニング若しくは遮光部１４３及び１４３’で覆うことによって、光線１５１を光ガイドの壁部から全反射する（１５５）ようにＬＥＤ１３０における光源１５０から直接的に放射させると同時に、入射角が適切でないゆえに全反射しない光線を遮断してもよい。ＴＩＲ光線は、面取りアパーチャー１６０に受容され、さらに伝送されて、図示されていないドキュメントを照射する。
【００１７】
別の実施形態では、図６及び図７に示されているように、アパーチャー１６０の後壁に不透明な拡散反射ライニング１７０をさらに設けることにより、アパーチャー１６０に集まる直接光線１５１’及び／又は反射光線１５５はさらに拡散され（１６７）、光パワー及び光プロファイルが高まる。キャビティの壁部に形成された不透明な鏡面ライニング（１４３、１４３’）及びアパーチャーの壁部における拡散反射散乱体（１７０）は、連続的であっても非連続的であってもよく、様々な形状をしていてもよい。形状の例としては、正方形、長方形、三角形、多角形、並びに、これらの及びその他の形状を引き伸ばしたものが挙げられるが、これらに限定されない。
【００１８】
アパーチャー１６０から射出する光の強度及び形状は、ＬＥＤから発せられた光がどの程度このアパーチャーに導かれるかによって決まる。上述したように、図３及び図４に示されたようなキャビティ内の光源から発する光は全方向に放射され、この光の一部だけが通常は散乱した形で且つ弱い光パワーで面取りアパーチャー１６０から射出し、この光の残りの部分は光ガイドの全表面から抜けてしまう（１５３）。一方、不透明な鏡面ライニングである遮光部１４３及び１４３’を賢明に配置することにより、ＬＥＤ１３０から射出する光は、光ガイドのアクリル−空気境界面からアパーチャー１６０へ向けて反射を促すように導かれると共に、このアパーチャーに設けた更なるパッチ１７０から拡散散乱させることにより、さらに強化され、これにより、部材を付加していない図３及び図４の光ガイドよりも高い出力強度及び出力プロファイルで、光線がアパーチャーから射出する。図６及び図７に示された不透明な遮光部１４３及び１４３’は、キャビティの壁部に沿っておよそ６０°に広がる扇形及びその他の様々な角度の扇形を形成し、この角度によって、ＬＥＤから射出する光線の鏡面性を「微調整」してＴＩＲを高めてもよい。キャビティとアパーチャーとの両方における不透明なライニングの反射率はおよそ９０％であるため、ＬＥＤから射出する光は、比較的高い強度且つ均一な光プロファイルで、走査ドキュメントへ矢印１６７によって示されている方向に伝送される。
【００１９】
別の実施形態は、図８に示されているように、図６の光ガイドの下辺に形成された光Ｖ字ノッチ１８０を備える。このノッチが光ガイドの平らな底面とは異なる傾斜面をもたらすことにより、このノッチがなければ周囲媒体へ抜けてしまう光線が、光ガイドの内部で内側へ反射され、最終的にはアパーチャーから拡散するため、光ガイドから結果として生じる光が増える。従って、図８の光線１５７、１５７’、１５７”、１５７”’によって示されているように、このノッチはＴＩＲを高める。
【００２０】
図８に示されているこの実施形態は、この図８に示されたＶ字ノッチの代わりに複合カーブ１９０（点線で示す）を設けることにより、さらに向上させてもよい。この複合カーブ１９０は、カーブに入射する光線の全反射をより一層高めるように計算されている。この計算は、光ガイドの全体寸法及び光ガイド内におけるＬＥＤの配置を考慮に入れる。図８に示されているこの実施形態の一態様では、１つ以上の光ノッチを光ガイド１００に設けてもよい。
【００２１】
さらに別の実施形態では、図１０及び図１１に示されているように、光ガイド１００の裏面に一連の白い拡散パッチ（１７１、１７３、１７５、１７７、及び１７１’、１７３’、１７５’、１７７’）でパターンを形成してもよく、これらの拡散パッチは、ＴＩＲを減衰させ、内部反射光が散乱後に最小の光パワー損失且つ最大の均一光プロファイルで面取りアパーチャー１６０を通って光ガイドから射出するようにする。一態様では、これらのパッチの大きさ及び位置を変えることによって、アパーチャーにおける光の形状を注文に合わせることができる。別の態様では、これらの白い拡散パッチに少しずつ変化を付ける、つまり、長さを光源に近づくほど短く且つ光源から離れるほど長くすることによって、一端からもう一端までの光プロファイルのばらつきを最小限に抑えることができ、その結果、アパーチャーの全長に沿って出力レベルが充分である均一なプロファイルが得られる。このアパーチャー自体を様々な形状に成型して、光プロファイルを形成すると共に露光効率を高めてもよい。
【００２２】
図１２及び図１３に示された別の実施形態では、反射率が約６０％〜約９０％である不透明な白いプラスチックの囲い２００に光ガイド１００全体を入れてもよく、この囲い２００には、光ガイドから射出した光線を再反射させて光ガイド内に戻す効果があるため、効率が高まる。
【００２３】
光Ｖ字ノッチ１８０（又は複合カーブ１９０）に話を戻すと、図１４は、第１のＶ字ノッチ１８１及び第２のＶ字ノッチ１８２を含む光二重Ｖ字ノッチを備えた、一実施形態を示している。図１４に示されているように、これらの光ノッチ１８１及び１８２は、光ガイド１００の平らな底面から異なる角度に傾斜した面を有する。光ノッチ１８１及び１８２のそれぞれの傾斜角度は、全反射を高めるように、光ガイド１００の全体構造に基づいて調整されてもよい。
【００２４】
図１４では、二重Ｖ字ノッチ１８１及び１８２の右側半分だけが示されている。この二重ノッチの左側半分は、全反射を高めるように、光ガイド１００の全体構造（例えば、光ガイド１００におけるＬＥＤ１３０の位置）に応じて、右側半分と対称的であっても非対称的であってもよい。
【００２５】
図１５は、一連のＶ字ノッチを備えた、別の実施形態を示している。図１５に示されているように、図８の光Ｖ字ノッチ１８０が、Ｖ字ノッチ１８３、１８４、１８５、１８６、及び１８７を含んでいる。これらのＶ字ノッチ１８３〜１８７の傾斜面によって、光ガイド１００の平らな底面から連続的に角度が大きくなっている。これらのＶ字ノッチ１８３〜１８７のそれぞれの面の傾斜は、全反射を高めるように、光ガイド１００の全体構造に応じて調整されてもよい。これらのＶ字ノッチ１８３〜１８７の左側半分（図示せず）は、図１５に示された右側半分と対称的であっても非対称的であってもよい。
【００２６】
図１５には５つのＶ字ノッチ１８３〜１８７だけが示されているが、全反射を高めるように、光ガイド１００の全体構造に応じて、より少ない又はより多いＶ字ノッチを用いてもよい、ということは当業者には理解される。
【００２７】
図１６は、楕円形ノッチを備えた、一実施形態を示している。図１６に示されているように、図８の複合カーブ１９０が、楕円形カーブ１９１を含んでいる。この楕円形カーブ１９１の曲率は、全反射を高めるように、光ガイド１００の全体構造に応じて調整されてもよい。また、このノッチの左側半分（図示せず）は、（図１６に示された）右側半分と対称的であっても非対称的であってもよい。
【００２８】
図１７は、図１４の二重Ｖ字ノッチ１８１及び１８２を有する光ガイド１００における、光線１５１の光路を示している。図１７に示されているように、二重Ｖ字ノッチ１８１及び１８２は、内部反射する光線１５１ｂの量を増加させ、抜けていく光線１５１ａの量を減少させる。図１７のこれらの二重Ｖ字ノッチ１８１及び１８２は、適切に構成されていれば、図８に示された単一Ｖ字ノッチ１８０に比べて、全反射を高める。
【００２９】
図１８は、図１６の楕円形ノッチ１９１を有する光ガイド１００における、光線１５１の光路を示している。図１８に示されているように、楕円形ノッチ１９１は、内部反射する光線１５１ｂの量を増加させ、抜けていく光線１５１ａの量を減少させる。この楕円形ノッチ１９１は、適切に構成されていれば、図１７の二重Ｖ字ノッチ１８１及び１８２に比べて、光ガイド１００における全反射を高める。
【図面の簡単な説明】
【００３０】
【図１】走査されるドキュメントに対するランプ及び反射器の関係を示す、従来技術によるドキュメント照射システムの図である。
【図２】図１のドキュメント照射システムのランプ及び反射器を、開示した光透過性素子（ＬＴＥ）と置き換えて示す、一実施形態の図である。
【図３】内部に形成されたキャビティにＬＥＤが嵌め込まれた光透過性素子を示す、一実施形態の正面図である。
【図４】内部に形成されたキャビティにＬＥＤが嵌め込まれた光透過性素子を示す、一実施形態の側面図である。
【図５】図３及び図４の光透過性素子の異なる位置にＬＥＤを配置した図であり、光線の入射角θiが臨界角θcrよりも大きくなるようにＬＥＤを配置することにより、光線の全反射（ＴＩＲ）がどのように得られるかを示している。
【図６】キャビティの壁部に不透明な鏡面ライニングを用い、アパーチャーの後壁に拡散散乱体を用いた、別の実施形態の正面図である。
【図７】キャビティの壁部に不透明な鏡面ライニングを用い、アパーチャーの後壁に散漫散乱体を用いた、別の実施形態の側面図である。
【図８】ＴＩＲを得るために光Ｖ字ノッチを用いた、さらに別の実施形態の正面図である。
【図９】ＴＩＲを得るために光Ｖ字ノッチを用いた、さらに別の実施形態の側面図である。
【図１０】光線が図６及び図７のアパーチャーに集まって最大の光パワー及び均一光プロファイルでドキュメントを照射するように促すために、少しずつ変化を付けた光散乱体を用いた、さらに別の実施形態の正面図である。
【図１１】光線が図６及び図７のアパーチャーに集まって最大の光パワー及び均一光プロファイルでドキュメントを照射するように促すために、少しずつ変化を付けた光散乱体を用いた、さらに別の実施形態の側面図である。
【図１２】光透過性素子のあらゆる面から抜け得る光を捕らえることにより、ドキュメントを照射するのに用いられる光出力を増加させると共に光プロファイルを改良するために、白い囲いに入れた開示光透過性素子を示す、一実施形態の正面図である。
【図１３】光透過性素子のあらゆる面から抜け得る光を捕らえることにより、ドキュメントを照射するのに用いられる光出力を増加させると共に光プロファイルを改良するために、白い囲いに入れた開示光透過性素子を示す、一実施形態の側面図である。
【図１４】二重Ｖ字ノッチを示す、一実施形態の図である。
【図１５】一連のＶ字ノッチを示す、一実施形態の図である。
【図１６】楕円形ノッチを示す、一実施形態の図である。
【図１７】図１４の二重Ｖ字ノッチの作用を受けた光線の光路を示す図である。
【図１８】図１６に示された楕円形ノッチの作用を受けた光線の光路を示す図である。
【符号の説明】
【００３１】
１０    ドキュメント
２０    プラテン
２５    ドキュメント・ハンドラ
３０    対向反射器
３５、５５、５７、１２０、１５１、１５１’、１５１ａ、１５１ｂ、１５２、１５２’、１５２”、１５２”’、１５３、１５４、１５４’、１５５、１５５’、１５６、１５６’、１５７、１５７’、１５７”、１５７”’、１６３、１６７    光線
４０    光中心線
４３    画像形成システム
４５    感光装置
５０、１５０    光源
６０    コーティング
６５    アパーチャー
１００    光ガイド
１１０    光源領域
１３０    ＬＥＤ
１３５    肩支持体
１４０    キャビティ
１４１    ライニング
１４３、１４３’    鏡面ライニング
１６０    面取りアパーチャー
１７０    拡散反射ライニング
１７１、１７１’、１７３、１７３’、１７５、１７５’、１７７、１７７’    拡散パッチ
１８０〜１８７    Ｖ字ノッチ
１９０    複合カーブ
１９１    楕円形ノッチ
２００    囲い
【図１】
0005144904.tif 000002
【図２】
0005144904.tif 000003
【図３】
0005144904.tif 000004
【図４】
0005144904.tif 000005
【図５】
0005144904.tif 000006
【図６】
0005144904.tif 000007
【図７】
0005144904.tif 000008
【図８】
0005144904.tif 000009
【図９】
0005144904.tif 000010
【図１０】
0005144904.tif 000011
【図１１】
0005144904.tif 000012
【図１２】
0005144904.tif 000013
【図１３】
0005144904.tif 000014
【図１４】
0005144904.tif 000015
【図１５】
0005144904.tif 000016
【図１６】
0005144904.tif 000017
【図１７】
0005144904.tif 000018
【図１８】
0005144904.tif 000019